(57)【要約】ペット用トイレの例示的な実施例を提供する。ベースと、ベースに設けられペットがそこに立つことができるように構成されたスタンド面と、スタンド面を水洗するための水を供給する第１の水洗機構と、第１の水洗機構に接続され、第１の水洗機構からスタンド面に水を供給するように構成された外枠配管と、外枠配管に配置された、第１の水洗機構からスタンド面に水を供給するための少なくとも１つの吐水口とを備えるペット用トイレが提供される。水洗機構は、１つ以上のモーションセンサーによって作動する自動水洗機構であってよい。スタンド面は、凹面を有してよい。
2017527314.tif 000002
【特許請求の範囲】
【請求項１】
ベースと、
前記ベースに設けられ、ペットがそこに立つことができるように構成されたスタンド面と、
前記スタンド面を水洗するための水を供給する第１の水洗機構と、
前記第１の水洗機構に接続され、前記第１の水洗機構から前記スタンド面に水を供給するように構成された外枠配管と、
前記外枠配管に配置された、前記第１の水洗機構から前記スタンド面に水を供給するための少なくとも１つの吐水口と
を備えるペット用トイレ。
【請求項２】
前記スタンド面が凹面を有する、請求項１に記載のペット用トイレ。
【請求項３】
前記スタンド面に設けられ、ペットの排泄物及び前記吐水口からの水を除去するように構成された排水口を更に備える、請求項１に記載のペット用トイレ。
【請求項４】
前記排水口が、前記スタンド面の最も低い部分に位置する、請求項３に記載のペット用トイレ。
【請求項５】
前記第１の水洗機構に水流を供給するためのタンクを更に備える、請求項１に記載のペット用トイレ。
【請求項６】
前記タンクの下側に設けられ、前記スタンド面上のペットを検出するための１つ以上のモーションセンサーを更に備える、請求項４に記載のペット用トイレ。
【請求項７】
ペットが前記スタンド面から去ったことを検出すると、前記１つ以上のモーションセンサーが前記第１の水洗機構を作動させる、請求項６に記載のペット用トイレ。
【請求項８】
前記スタンド面の後部周囲に沿って、前記スタンド面に隣接して位置する側壁を更に備える、請求項１に記載のペット用トイレ。
【請求項９】
前記側壁が、前記スタンド面の周囲のおよそ５０％未満に沿って位置する、請求項８に記載のペット用トイレ。
【請求項１０】
前記側壁が、実質的に垂直であり、曲面を有する、請求項８に記載のペット用トイレ。
【請求項１１】
ペット用トイレの前記側壁を水洗する第２の水洗機構を更に備える、請求項１０に記載のペット用トイレ。
【請求項１２】
前記側壁の反対側にある頂壁の内側面に沿って設けられた、前記スタンド面上のペットを検出するための１つ以上のモーションセンサーを更に備える、請求項８に記載のペット用トイレ。
【請求項１３】
ペットが前記スタンド面から去ったことを検出すると、前記１つ以上のモーションセンサーが前記第２の水洗機構を作動させる、請求項１２に記載のペット用トイレ。
【請求項１４】
前記外枠配管が、前記スタンド面の周囲の少なくとも一部に沿って設けられている、請求項１に記載のペット用トイレ。
【請求項１５】
前記外枠配管に沿って設けられたいくつかの吐水口を更に備える、請求項１４に記載のペット用トイレ。
【請求項１６】
前記外枠配管に配置された前記少なくとも１つの吐水口が、前記スタンド面に時計回り又は反時計回りの水流を供給するように、傾いた水流を供給する、請求項１に記載のペット用トイレット。
【請求項１７】
前記ベース上に、ペットが前記スタンド面に入ることを可能にする切欠部を更に備える、請求項１に記載のペット用トイレ。
【請求項１８】
ペット用トイレに取り付けられ、ペット用トイレを清掃するための吐水口を提供する噴霧器を更に備える、請求項１に記載のペット用トイレ。
【請求項１９】
前記スタンド面から排泄物を受ける粉砕機を更に備える、請求項１に記載のペット用トイレ。
【請求項２０】
前記粉砕機が、既存の下水管に接続するように構成された、請求項１８に記載のペット用トイレ。
【発明の詳細な説明】
【技術分野】
【０００１】
（関連出願の相互参照）
本出願は、２０１４年９月１５日に出願された米国仮特許出願第６２／０５０，５７５号に関連し、これに基づく優先権を主張するものである。この出願は、その開示の全体が参照により本明細書に組み込まれる。
【０００２】
本開示は、ペット用トイレの例示的な実施例に関し、より詳細には、ペットがその上に立つペット用トイレ装置の例示的な実施例に関する。
【背景技術】
【０００３】
本開示は、ペット用トイレに関し、詳細には下水設備に接続可能で、自動的に動作するペット用トイレに関する。
【０００４】
ペット所有者、特に都市の人口の多い地域に住むペット所有者にとっての極めて大きな問題は、ペットの排泄物に関する問題であり、特に犬の所有者にとっては大きな問題である。天候が厳しく（暑い又は寒い）、所有者がペットを屋外に連れて行くのが難しい可能性がある場合、又は、所有者の仕事又は他の要因によって、所有者がペットを外に連れていく時間にペットのところに帰宅できない場合、ペットとペット所有者に極めて大きな問題を引き起こす。介助犬やセラピー犬の場合には、別の問題がある。多くの場合、障害のある所有者には、屋内のペットの排泄物に関して困難があり、動物を屋外に散歩に連れて行くリスクを負うか、又は悪臭を放つ不経済なペット用パッドを使用しなければならない。
【０００５】
ペット所有者がペットを屋外に一日に何度か散歩させることができる場合でも、大便を廃棄するのに十分満足の行く場所を見つけることはできず、尿は拾い上げることもできない。歩道、道路の縁石、又は芝生に廃棄すると、不快な臭気、バクテリア、寄生虫のために、ゴミ箱に廃棄するのと同様に明らかな苦情を引き起こす。
【０００６】
従って、家庭用、商業用、又は公共用として提供可能で、恒久的に設置して既存の排水口に接続でき、自動及び／又は手動の水洗システムを提供可能なペット用トイレに対する需要がある。
【発明の概要】
【０００７】
上記問題の少なくともいくつかは、本開示のペット用トイレの例示的な実施例によって対処できる。
【０００８】
一部の例示的な実施例において、ベースと、ベースに設けられ、ペットがそこに立つことができるように構成されたスタンド面と、スタンド面を水洗するための水を供給する第１の水洗機構と、第１の水洗機構に接続され、第１の水洗機構からスタンド面に水を供給するように構成された外枠配管と、外枠配管に配置された、第１の水洗機構からスタンド面に水を供給するための少なくとも１つの吐水口とを備えるペット用トイレを提供できる。
【０００９】
ペットは、スタンド面に設けられ、ペットの排泄物と吐水口からの水を除去するように構成された排水口を更に備えてよい。排水口は、スタンド面の最も低い部分に位置してよい。ペット用トイレは、第１の水洗機構に水流を供給するためのタンクを更に備えてよい。ペット用トイレは、タンクの下側に設けられた、スタンド面上のペットを検出するための１つ以上のモーションセンサーを更に備えてよい。ペットがスタンド面から去ったことを検出すると、１つ以上のモーションセンサーが第１の水洗機構を作動させる。
【００１０】
ペット用トイレは、スタンド面の後部周囲に沿って、スタンド面に隣接して位置する側壁を更に備えてよい。側壁は、スタンド面の周囲のおよそ５０％未満に沿って位置する。側壁は、実質的に垂直であってよく、曲面を有してよい。ペット用トイレは、ペット用トイレの側壁を水洗する第２の水洗機構を更に備えてよい。ペット用トイレは、側壁の反対側にある頂壁の内側面に沿って設けられた、スタンド面上のペットを検出するための１つ以上のモーションセンサーを更に備えてよい。ペットがスタンド面から去ったことを検出すると、１つ以上のモーションセンサーが第２の水洗機構を作動させてよい。
【００１１】
外枠配管が、スタンド面の周囲の少なくとも一部に沿って設けられてよい。ペット用トイレは、外枠配管に沿って設けられたいくつかの吐水口を更に備えてよい。外枠配管に配置された少なくとも１つの吐水口が、スタンド面に時計回り又は反時計回りの水流を供給するように、傾いた水流を供給してよい。
【００１２】
ペット用トイレは、ベース上に、ペットがスタンド面に入ることを可能にする切欠部を更に備えてよい。ペット用トイレは、ペット用トイレに取り付けられ、ペット用トイレを清掃するための吐水口を提供する噴霧器を更に備えてよい。ペット用トイレは、スタンド面から排泄物を受ける粉砕機を更に備えてよい。粉砕機は、既存の下水管に接続するように構成してよい。
【００１３】
本開示の前述の目的及び他の目的は、添付の例示的な図面及び特許請求の範囲と併せて、以下の詳細な説明を考察することによって明らかになるであろう。それらの記載中、同じ参照符号は、全体にわたって同じ部品を表している。
【図面の簡単な説明】
【００１４】
【図１】本開示の例示的な実施例によるペット用トイレの斜視図である。
【図２】本開示の例示的な実施例によるペット用トイレの上面図である。
【図３】本開示の例示的な実施例によるペット用トイレを横から見た断面図である。
【発明を実施するための形態】
【００１５】
各図を通して、同じ参照番号及び符号は、特に明記しない限り、図示する実施例の同様な機能、要素、構成部品、又は部分を示すために用いられる。また、以下に主題の開示について図を参照して詳細に説明するが、その説明は例示的な実施例に関連して行う。主題の開示の真の範囲及び精神から逸脱することなく、記載の実施例に変更及び修正が可能であることを意図している
【００１６】
本開示のペット用トイレの例示的な実施例について、以下に図を参照して説明する。様々な実施例についての以下の説明は、実際に単なる例示であり、開示の範囲、その適用、又は用途を制限する意図は全くない。
【実施例】
【００１７】
図１は、本開示の例示的な実施例によるペット用トイレの斜視図であり、図２は、本開示の例示的な実施例によるペット用トイレの上面図である。ペット用トイレ１００は、ペットがその上に立つことが可能なスタンド面１１０、側壁１１２、及び排水口１２０を有してよい。スタンド面１１０は、犬等の様々な大きさの家庭用ペットを取り込むための任意の大きさであってよい。スタンド面１１０は、ベース１１６の上に設けられてよく、凹状の表面、又は平らな表面であってよい。側壁１１２は、凹状、曲面状、又は平面状の垂直面を有し、スタンド面の後部周囲に沿って、スタンド面１１０に隣接してよい。側壁１１２は、スタンド面１１０と一体であっても、独立した要素であってもよい。側壁１１２は、スタンド面１１０の周囲の後部に沿って位置してよく、スタンド面１１０の周囲の一部の長さに沿って延在してよい。一部の実施例において、側壁１１２は、スタンド面１１０の周囲の１０％〜７５％に沿って位置してよく、５０％未満であるのが好ましい。スタンド面１１０及び／又は側壁１１２には、抗菌材料が埋め込まれていてよい。
【００１８】
一部の例示的な実施例において、（更に後述する）水洗配管に接続された外枠配管１２４が設けられてよい。外枠配管１２４は、スタンド面１１０の全周にわたって、又はスタンド面１１０の周囲の一部分若しくは複数部分に沿って設けられてよい。外枠配管１２４には、その周りに１つ以上の吐水口１２２を、間隔を置いて設けてよい。吐水口１２２は、水流が時計回り又は半時計回りに流れて排泄物をスタンド面１１０から効果的に排水口１２０に流し込むように、傾きを設けてよい。一部の例示的な実施例において、側壁１１２、若しくはスタンド面１１０、又はスタンド面１１０を囲む側壁の任意の部分に外枠配管１２４を設けてよい。一部の例示的な実施例において、外枠配管は、外枠配管１２４の端部の１つ以上の吐水口１２２以外は、ペット用トイレの外側から見えなくしてもよい。一部の例示的な実施例において、外枠配管１２４に単一の吐水口１２２を設け、外枠配管１２４を強力な水洗を可能とするための動力水洗に接続してよい。水の体積全体を分散させ、遠心流を生成して水の水洗力を最適化するために、単一の吐水口１２２をスタンド面１１０の曲面に平行な角度で設けてよい。単一の大きな吐水口１２２、又はいくつかの小さな吐水口１２２を、外枠配管１２４に、又は外枠配管１２４の周囲に沿って設けてよい。
【００１９】
図３は、本開示の例示的な実施例によるペット用トイレを横から見た断面図である。ペット用トイレ１００は、壁１３２に対して設け、給水口１４０に接続してよい。給水口１４０には、遮断弁を設けてよく、それが露出しないようにペット用トイレ１００の背後などに設けてよい。給水口１４０は、水洗配管Ａ及び水洗配管Ｂなどの、１つ以上の水洗配管に接続してよい。水洗配管Ａ及びＢは、一定量の水を勢いよく流して、水がスタンド面１１０及び／又は側壁１１２の表面領域全体を覆うようにすることが可能な動力水洗に供給してよい。水洗配管Ａは、外枠配管１２４から外枠配管１２４に設けられた１つ以上の吐水口１２２に水を供給する動力水洗に供給してよく、それによって、排泄物を除去するためのスタンド面１１０の水洗が可能となる。水洗配管Ｂには、水を少量流して排泄物を側壁１１２の下方に流すことによって側壁１１２に勢いのある水流を供給することが可能な、１つ以上の吐水口を側壁１１２に設けてよい。一部の例示的な実施例において、筐体内で、外枠配管１２４が水洗配管Ａから延びてよく、その結果、ペット用トイレ１００の外側からは１つの吐水口１２２以外は見えず、外枠配管Ａが水洗配管Ａからその１つの吐水口１２２に水を供給する。
【００２０】
一部の例示的な実施例において、側壁１１２及びスタンド面１１０を洗浄又は清掃するために噴霧器１９０を設けてよい。噴霧器１９０は、ペットを洗浄するため、又はペットにシャワーを浴びさせるために使用してもよく、噴霧器１９０は、ペット用トイレ１００の内部に設置された格納式ホース、又はペット用トイレ１００に掛けることができる露出したホースを有してもよい。一部の例示的な実施例において、スタンド面１１０を清掃するために単一の水洗配管（例えば、水洗配管Ａ）が設けられてよく、噴霧器１９０は、側壁１１２を清掃する必要があるときのみに使用してもよい。これによって、節水が可能になり、例えば、雌の犬又はペットがペット用トイレ１００を使用するときには側壁１１２は水洗しない。一部の例示的な実施例において、例えば、タンク１１４に、又はペット用トイレ１００の任意の外面に、手動水洗１１８を設けてよい。
【００２１】
例えば、スタンド面１１０の中央部に沿って排水口１２０が設けられてよい。スタンド面１１０の最も低い部分に沿って排水口１２０が設けられるようにスタンド面１１０は凹状であってよい。スタンド面１１０は、排泄物が排水口１２０に流れ込むように、１度から４５度までの任意の角度であってよく、好ましくは３度から１８度である。排水口１２０の直径は、１インチから５インチ（２．５４ｃｍ〜１２．７ｃｍ）の大きさの範囲であってよく、一部の実施例では、２．５インチ（６．３５ｃｍ）であってよい。排水口１２０には、臭気又はガスが周囲環境に戻るのを防ぐためにＵベンドを設けてよい。
【００２２】
ペット用トイレ１００のベース１１６の内部又は近くに、ポンプを有する粉砕機１５０を設けてよい。粉砕機１５０によって、排泄物のスラリーを、下水設備までの長い距離に渡って運ぶことが可能になる。粉砕機１５０は、排水口１２０に接続された注入口１５２、及びスラリーが廃棄される下水管に接続された排出口（図示せず）を有してよい。粉砕機１５０は、電動（バッテリーバックアップを有してよい）又はバッテリー運転であってよい。
【００２３】
一部の例示的な実施例において、ペット用トイレ１００を、既存の排水口に接続してよい。例えば、粉砕機１５０は、ペット用トイレ１００に対して下水管が容易に利用できない場合の排出口を提供するために、第２の排出口を有してよい。第２の排出口は、例えば、下水管への排出口を有する既存の装置の排水口（シンク、タブ、シャワー、又は洗濯機などであるがこれに限定しない）に接続してよい。例えば、第２の排出口は、既存の装置の下水排出口に接続する配管に接続してよい。一部の例示的な実施例において、ペット用トイレ１００を既存の配管系統に設置、取り付け可能な屋外ユニットとして設けてもよい。粉砕機１５０、及び／又はペット用トイレ１００の内部又は近くの他の配管系統は、異なる配管規則に対応するように修正又は調整してよい。
【００２４】
一部の例示的な実施例において、タンク１１４の下方、及び／又はスタンド面１１０の上部の、側壁１１２とは反対側の壁に沿って、１つ以上のモーションセンサー１３０を設けてよい。１つ以上のモーションセンサー１３０は、ペットがペット用トイレ１００を使っていることを知り、それにより、いつペット用トイレ１００を自動的に水洗するかを知ることに使用してよい。例えば、１つ以上のモーションセンサー１３０は、ペットがユニット（例えば、スタンド面１１０）に踏み入って遮断した赤外線が、ペットが出て行き、完全なビームに戻った後に動力水洗を作動させるために、タンク１１４の下方に設けてよい。犬又はペットがそこから移動したときに動力水洗を作動させてよい。一部の例示的な実施例において、１つ以上のモーションセンサー１３０を、スタンド面１１０上のペットを検出するために頂壁１２６の内側部に沿って設けてもよい。一部の例示的な実施例において、１つ以上のモーションセンサー１３０を、頂壁１２６のみに設けてよい（つまり、タンク１１４の下方にはモーションセンサー１３０は設けられない）。必要なときに水洗を行えるように、手動優先水洗機構１１８を設けてもよい。
【００２５】
一部の例示的な実施例において、犬やペットにユニットの使用を促すための匂いを供給するために、誘引剤の濃縮ディスクを水タンク１１４内に設けてよい。誘引剤ディスクは、所定回数の水洗のための匂いを供給するようになされてよく、所定回数の水洗又は時間枠の後、新しい誘引剤ディスクを供給してよい。誘引剤は、スタンド面１１０上等の、ユニット上に噴霧する噴霧剤として供給されてよい。噴霧剤は、ペット用トイレの組み込み機能の１つとして、各水洗の後に自動的に供給されるか、又は（ディスクとして使用されて）各水洗時の水の中に供給されてもよい。誘引剤ディスクは、固形の形態で設けられてよく、タンク１１４の側面、又はベース１１６の近く若しくはその上等の、ペット用トイレ１００の外側に取り付けられてよい。
【００２６】
本発明の例示的な実施例によって説明した例示的な適用において、その他の様々な考慮が取り組まれてよい。本開示の例示的な実施例は、様々な構成及び異なるシステムにおいて使用されてよい。例えば、ペット用トイレは、家庭、ホテル、及び公共施設（例えば、公園）の既存のトイレ、又は集合住宅やその他の居住用建物等の洗濯室に設けられてよい。排水系は、ペット用トイレ用に独立していてもよいし、既存の排水系に連結してもよい。ペット用トイレは、既存のフランジ付きトイレ用排水口に連結してもよく、そうすると粉砕機が必要なくなるであろう。ペット用トイレを排水系に接続するために、既存の排水系に様々な小規模な変更を行ってよい。一部の例示的な実施例において、ペット用トイレは、節水のために、例えばシンク、シャワー、又は洗濯機からの使用済みの水などの、家庭用雑排水システムからの水をペット用トイレの水洗に使用してよい。
【００２７】
一部の例示的な実施例において、頂壁１２６は、ペットが立面１１０に入りやすいように、窪み又は切欠部１２８を有してよい。切欠部１２８は、１〜６インチ（２．５４〜１５．２４ｃｍ）の高さであってよい。ペット用トイレは、ペットの種類及びペットの大きさに基づいて、様々な大きさ（例えば、高さ、幅、及び長さ）で製造してよい。スタンド面の大きさ及び高さも、ペットの大きさに基づいて変化させてよい。一部の例示的な実施例において、小さなペットがスタンド面１１０に入れるようにスロープを設けてもよい。一部の実施例において、異なるペットに使用するために、スタンド面の高さを調整式にしてもよい。各種配管系統の大きさも、使用量（例えば、家庭での使用か、又は居住用建物の洗濯室などでの多頻度の使用か、又は公園などの公共の使用か）に基づいて、修正又は製造してよい。粉砕機又は他の配管系統の修理のために、背面パネルドアをペット用トイレ１００のベースに設けてよく、更に、タンクやペット用トイレ１００のその他の部品にも設けてよい。
【００２８】
上述は、単に本開示の原理を例示したものである。本明細書の教示の観点で、当業者には、記載の実施例に対する様々な変更及び改変が明らかであろう。本明細書に明示的に図示又は記載されていないが、本開示の原理を具現化し、本開示の精神及び範囲内である、多数のシステム、配置、製造、及び方法を当業者が考案できることが理解されよう。本明細書に引用された全てのシステム、文書、及び刊行物の開示は、参照によりその全体が本明細書中に組み込まれている。
【図１】
2017527314.tif 000003
【図２】
2017527314.tif 000004
【図３】
2017527314.tif 000005
【国際調査報告】
2017527314.tif 000006